(57)【要約】【課題】  一つの鉢で栽培されている生育速度が異なる複数種の菊を同じ程度の草丈で開花した状態で組み合わせて利用することが可能な直立性菊苗の鉢物を提供する。【解決手段】  直立性菊苗の鉢物１は、大輪菊の苗Ｓ１１、大輪菊の苗Ｓ１１に比べ生育速度が速い小菊類の苗Ｓ１２、および、大輪菊の苗Ｓ１１と小菊類の苗Ｓ１２とが植えられている一塊の土１０を備える。直立性菊苗の鉢物１では、大輪菊の苗Ｓ１１の草丈Ｈ１０は、小菊類の苗Ｓ１２の草丈Ｈ２０に比べ高い。直立性菊苗の鉢物１では、大輪菊の苗Ｓ１１において大輪菊が開花している時期と小菊類の苗Ｓ１２において小菊類が開花している時期とが重複しているときに大輪菊の草丈と小菊類の草丈とを同じ程度にすることができる。【選択図】  図１
2017200453.tif 000002
【特許請求の範囲】
【請求項１】
第一の直立性菊苗（Ｓ１１）と、
前記第一の直立性菊苗に比べ生育速度が速い第二の直立性菊苗（Ｓ１２）と、
前記第一の直立性菊苗と前記第二の直立性菊苗とが植えられている一塊の土（１０）と、
を備え、
前記第一の直立性菊苗の草丈（Ｈ１０）は、前記第二の直立性菊苗の草丈（Ｈ２０）に比べ高い直立性菊苗の鉢物。
【請求項２】
第一の直立性菊苗（Ｓ１１）と、前記第一の直立性菊苗に比べ生育速度が速い第二の直立性菊苗（Ｓ１２）と、前記第一の直立性菊苗と前記第二の直立性菊苗とが植えられている一塊の土（１０）と、を備え、前記第一の直立性菊苗の草丈（Ｈ１０）は、前記第二の直立性菊苗の草丈（Ｈ２０）に比べ高い直立性菊苗の鉢物の生産方法であって、
前記第一の直立性菊苗の挿し穂（Ｅ１１）を挿し木するとともに、前記第二の直立性菊苗の挿し穂（Ｅ１２）を挿し木する挿し木工程と、
前記挿し木工程から第一の所定の日数経過後に前記挿し木工程において栽培された前記第一の直立性菊苗および前記第二の直立性菊苗を前記一塊の土に植える定植工程と、
前記挿し木工程から第二の所定の日数経過後の前記定植工程の後、前記第一の直立性菊苗および前記第二の直立性菊苗を摘心する摘心工程と、
を含み、
前記摘心工程において、前記第一の直立性菊苗が摘心される長さ（Ｌ２１）は、前記第二の直立性菊苗が摘心される長さ（Ｌ２２）に比べて短い直立性菊苗の鉢物の生産方法。
【請求項３】
第一の直立性菊苗（Ｓ１１）と、前記第一の直立性菊苗に比べ生育速度が速い第二の直立性菊苗（Ｓ１２）と、前記第一の直立性菊苗と前記第二の直立性菊苗とが植えられている一塊の土（１０）と、を備え、前記第一の直立性菊苗の草丈（Ｈ１０）は、前記第二の直立性菊苗の草丈（Ｈ２０）に比べ高い直立性菊苗の鉢物の生産方法であって、
前記第一の直立性菊苗の挿し穂（Ｅ１１）を挿し木するとともに、前記第二の直立性菊苗の挿し穂（Ｅ１２）を挿し木する挿し木工程と、
前記挿し木工程から第一の所定の日数経過後に前記挿し木工程において栽培された前記第一の直立性菊苗および前記第二の直立性菊苗を前記一塊の土に植える定植工程と、
前記挿し木工程から第二の所定の日数経過後の前記定植工程の後、前記第一の直立性菊苗を摘心する第一の摘心工程と、
前記挿し木工程から第三の所定の日数経過後の前記第一の摘心工程の後、前記第二の直立性菊苗を前記第一の摘心工程において前記第一の直立性菊苗の摘心された後の草丈（Ｈ３１）と同じ草丈（Ｈ３２）が残るよう摘心する第二の摘心工程と、
を含む直立性菊苗の鉢物の生産方法。
【請求項４】
第一の直立性菊苗（Ｓ１１）と、前記第一の直立性菊苗に比べ生育速度が速い第二の直立性菊苗（Ｓ１２）と、前記第一の直立性菊苗と前記第二の直立性菊苗とが植えられている一塊の土（１０）と、を備え、前記第一の直立性菊苗の草丈（Ｈ１０）は、前記第二の直立性菊苗の草丈（Ｈ２０）に比べ高い直立性菊苗の鉢物の生産方法であって、
前記第一の直立性菊苗および前記第二の直立性菊苗を前記一塊の土に挿し木する直挿し工程と、
前記直挿し工程から第一の所定の日数経過後に前記第一の直立性菊苗および前記第二の直立性菊苗を摘心する摘心工程と、
を含み、
前記摘心工程において、前記第一の直立性菊苗が摘心される長さ（Ｌ４１）は、前記第二の直立性菊苗が摘心される長さ（Ｌ４２）に比べて短い直立性菊苗の鉢物の生産方法。
【請求項５】
第一の直立性菊苗（Ｓ１１）と、前記第一の直立性菊苗に比べ生育速度が速い第二の直立性菊苗（Ｓ１２）と、前記第一の直立性菊苗と前記第二の直立性菊苗とが植えられている一塊の土（１０）と、を備え、前記第一の直立性菊苗の草丈（Ｈ１０）は、前記第二の直立性菊苗の草丈（Ｈ２０）に比べ高い直立性菊苗の鉢物の生産方法であって、
前記第一の直立性菊苗および前記第二の直立性菊苗を前記一塊の土に挿し木する直挿し工程と、
前記直挿し工程から第一の所定の日数経過後に前記第一の直立性菊苗を摘心する第一の摘心工程と、
前記直挿し工程から第二の所定の日数経過後の前記第一の摘心工程の後、前記第二の直立性菊苗を前記第一の摘心工程において前記第一の直立性菊苗の摘心された後の草丈（Ｈ５１）と同じ草丈（Ｈ５２）が残るよう摘心する第二の摘心工程と、
を含む直立性菊苗の鉢物の生産方法。
【発明の詳細な説明】
【技術分野】
【０００１】
本発明は、直立性菊苗の鉢物、および、直立性菊苗の鉢物の生産方法に関する。
【背景技術】
【０００２】
非特許文献１には、一つの鉢に植えられている複数種の菊苗からなる菊苗の鉢物が記載されている。
【先行技術文献】
【非特許文献】
【０００３】
【非特許文献１】らくらく彩りポット（平成２８年３月２５日検索）、インターネット＜ＵＲＬ：http://www.seikoen-kiku.co.jp/seedlings/pop/＞
【発明の概要】
【発明が解決しようとする課題】
【０００４】
菊は、観賞用の花としてだけでなく、仏事におけるお供え用の花としても利用されている。お供え用の花として菊を用いる場合、小菊やスプレー菊などの小菊類と大輪菊とを組み合わせて供えるのが一般的である。しかしながら、非特許文献１に記載の菊苗の鉢物では、一つの鉢に複数種の大輪菊の苗のみまたは複数種の小菊類の苗のみが植えられている。大輪菊と小菊類とは、生育速度が異なるため、一つの鉢で栽培すると開花しているときの草丈が異なるおそれがあり、一つの鉢で栽培された菊苗の菊だけではお供え用の花として不十分である。
【０００５】
本発明は、上述した課題に鑑みてなされたものであり、一つの鉢で栽培されている生育速度が異なる複数種の菊を同じ程度の草丈で開花した状態で組み合わせて利用することが可能な直立性菊苗の鉢物を提供することを目的とする。
【課題を解決するための手段】
【０００６】
本発明は、直立性菊苗の鉢物であって、第一の直立性菊苗と、第一の直立性菊苗に比べ生育速度が速い第二の直立性菊苗と、第一の直立性菊苗と第二の直立性菊苗とが植えられている一塊の土と、を備える。本発明の直立性菊苗の鉢物では、第一の直立性菊苗の草丈は、第二の直立性菊苗の草丈に比べ高い。
【０００７】
本発明の直立性菊苗の鉢物は、生育速度が異なる第一の直立性菊苗と第二の直立性菊苗とを備えている。ここで、「直立性菊苗」とは、重力に逆らって天方向に伸びるよう生長し菊を開花する苗である。第一の直立性菊苗および第二の直立性菊苗は、一塊の土に植えられ、第一の直立性菊苗の草丈は、第二の直立性菊苗の草丈に比べ高くなっている。これにより、一塊の土を一つの鉢に収容すると、当該鉢において第一の直立性菊苗の菊が開花している時期と第二の直立性菊苗の菊が開花している時期とが重複しているとき第一の直立性菊苗の草丈と第二の直立性菊苗の草丈とを同じ程度にすることができる。したがって、例えば、第一の直立性菊苗の菊を大輪菊とし、第二の直立性菊苗の菊を小菊類とすると、大輪菊と小菊類との組み合わせを仏事におけるお供え用の花として利用することができる。
このように、本発明の直立性菊苗の鉢物は、生育速度が異なる複数種の菊を同じ程度の草丈で開花した状態で組み合わせて利用することができる。
【図面の簡単な説明】
【０００８】
【図１】本発明の第一実施形態による直立性菊苗の鉢物の模式図である。
【図２】本発明の第一実施形態による直立性菊苗の鉢物の模式図であって、菊が開花したときの状態を示す模式図である。
【図３】（ａ）大輪菊のハウス栽培のタイムスケジュールを示す模式図、（ｂ）小菊類のハウス栽培のタイムスケジュールを示す模式図である。
【図４】本発明の第一実施形態による直立性菊苗の鉢物の生産方法を示す模式図である。
【図５】本発明の第二実施形態による直立性菊苗の鉢物の生産方法を示す模式図である。
【図６】本発明の第三実施形態による直立性菊苗の鉢物の生産方法を示す模式図である。
【図７】本発明の第四実施形態による直立性菊苗の鉢物の生産方法を示す模式図である。
【発明を実施するための形態】
【０００９】
以下、本発明の複数の実施形態を図面に基づき説明する。なお、複数の実施形態において、実質的に同一の構成には同一の符号を付して説明を省略する。
（第一実施形態）
本発明の第一実施形態を図１〜図４を参照して説明する。第一実施形態による直立性菊苗の鉢物１は、図１に示すように、「第一の直立性菊苗」としての大輪菊の苗Ｓ１１、「第二の直立性菊苗」としての小菊類の苗Ｓ１２、および、一塊の土１０を備える。図１に示す直立性菊苗の鉢物１は、鉢１００に収容されている。大輪菊の苗Ｓ１１および小菊類の苗Ｓ１２は、一塊の土１０とともに鉢１００とは異なる鉢に植え替えることが可能である。
【００１０】
大輪菊の苗Ｓ１１は、図１に示すように、一塊の土１０の略中央に植えられている。大輪菊の苗Ｓ１１は、栽培時の摘心による側枝Ｓ１１１を複数有する。大輪菊の苗Ｓ１１は、側枝Ｓ１１１の先端に大輪菊（図２の点線Ｆ１１）を開花可能である。
【００１１】
小菊類の苗Ｓ１２は、図１に示すように、大輪菊の苗Ｓ１１を挟む位置の一塊の土１０に植えられている。小菊類の苗Ｓ１２は、茎１２１が大輪菊の苗Ｓ１１の茎１１１に比べ細い。また、小菊類の苗Ｓ１２は、隣り合う葉１２２の間隔が大輪菊の苗Ｓ１１における隣り合う葉１１２の間隔に比べ広い。小菊類の苗Ｓ１２は、摘心による側枝Ｓ１２１を複数有する。小菊類の苗Ｓ１２は、側枝Ｓ１２１の先端に小菊やスプレー菊などの小菊類（図２の点線Ｆ１２）を開花可能である。小菊類の苗Ｓ１２は、大輪菊の苗Ｓ１１に比べ生育速度が速いため、大輪菊の苗Ｓ１１に比べ短期間で開花可能である。大輪菊の苗Ｓ１１の生育速度および小菊類の苗Ｓ１２の生育速度の詳細については後述する。
【００１２】
直立性菊苗の鉢物１は、図１に示すように、大輪菊の苗Ｓ１１の草丈と小菊類の苗Ｓ１２の草丈とが異なっている。具体的には、「第一の直立性菊苗の草丈」としての大輪菊の苗Ｓ１１の草丈Ｈ１０の方が「第二の直立性菊苗の草丈」としての小菊類の苗Ｓ１２の草丈Ｈ２０に比べ高くなっている。
【００１３】
直立性菊苗の鉢物１では、大輪菊の苗Ｓ１１で大輪菊Ｆ１１が開花する時期と小菊類の苗Ｓ１２で小菊類Ｆ１２が開花する時期とが重複する。すなわち、大輪菊Ｆ１１と小菊類Ｆ１２とは、開花するときが異なっていても開花している期間が重複していればよい。直立性菊苗の鉢物１では、大輪菊Ｆ１１および小菊類Ｆ１２が開花しているとき、図２に示すように、大輪菊の苗Ｓ１１の草丈Ｈ１１と小菊類の苗Ｓ１２の草丈Ｈ１２とは、目視レベルでは同じ程度の草丈となっている。
【００１４】
次に、直立性菊苗の鉢物１に植えられている菊苗で開花する二種類の菊の生育速度について、図３を参照して説明する。図３には、一例として、愛知県渥美半島における菊のハウス栽培のタイムスケジュールを示している。図３（ａ）には、大輪菊のハウス栽培における一年間のタイムスケジュールを示している。また、図３（ｂ）には、小菊類のハウス栽培における一年間のタイムスケジュールを示している。
【００１５】
大輪菊は、摘心しない場合、図３（ａ）に示すように、直挿しをしてから約１１５日目に収穫される。一方、小菊類は、摘心しない場合、図３（ｂ）に示すように、直挿しをしてから約１００日目に収穫される。このことから、一つの鉢で大輪菊の栽培と小菊類の栽培とを同時に開始すると、小菊類が大輪菊に比べ草丈が長い状態で開花することとなる。
【００１６】
そこで、同じ程度の草丈で同時期に開花している大輪菊と小菊類とを組み合わせて利用するため、第一実施形態による直立性菊苗の鉢物１は、図４に示す「直立性菊苗の鉢物の生産方法」によって栽培される。図４には、直立性菊苗の鉢物１の栽培のタイムチャートを示す。図４では、横軸に直立性菊苗の鉢物１の栽培を開始してから経過した日数を示す。
【００１７】
栽培開始の１日目に「挿し木工程」として挿し床１１に大輪菊の挿し穂Ｅ１１を挿し木する（図４中の矢印２１）とともに、挿し床１２に小菊類の挿し穂Ｅ１２を挿し木する（図４中の矢印２２）。
次に、栽培開始から１５日目に「定植工程」として一塊の土１０に挿し床１１で発根した大輪菊の苗Ｓ１１および挿し床１２で発根した小菊類の苗Ｓ１２を植える（図４中の矢印２３）。栽培開始からの日数としての１５日は、特許請求の範囲の請求項２に記載の「第一の所定の日数」に相当する。
【００１８】
次に、栽培開始から３０日目に「摘心工程」として大輪菊の苗Ｓ１１および小菊類の苗Ｓ１２を摘心する（図４中の矢印２４）。このとき、大輪菊の苗Ｓ１１が摘心される長さＬ２１を小菊類の苗Ｓ１２が摘心される長さＬ２２に比べ短くする（図４中の点線部分）。これにより、摘心された後の大輪菊の苗Ｓ１１の草丈Ｈ２１は、小菊類の苗Ｓ１２の草丈Ｈ２２に比べて高くなる。栽培開始からの日数としての３０日は、特許請求の範囲の請求項２に記載の「第二の所定の日数」に相当する。
【００１９】
次に、栽培開始から４５日目に直立性菊苗の鉢物１を出荷する（図４中の矢印２５）。このとき、大輪菊の苗Ｓ１１の草丈は、小菊類の苗Ｓ１２の草丈に比べ高くなっている。その後、出荷された直立性菊苗の鉢物１において大輪菊および小菊類が開花しているとき、大輪菊の苗Ｓ１１の草丈と小菊類の苗Ｓ１２の草丈とは、目視レベルでは同じ程度となる（図２参照）。
【００２０】
（ａ）直立性菊苗の鉢物１では、大輪菊の苗Ｓ１１と小菊類の苗Ｓ１２とが一塊の土１０に植えられている。大輪菊の苗Ｓ１１と小菊類の苗Ｓ１２とは、生育速度は異なるものの重複する開花している時期において草丈が同じ程度になるため、大輪菊と小菊類との組み合わせを、例えば、仏事におけるお供え用の花として利用することができる。したがって、一つの鉢１００で栽培された大輪菊Ｆ１１と小菊類Ｆ１２とを同じ程度の草丈で開花している状態で組み合わせて利用することができる。
【００２１】
（ｂ）また、直立性菊苗の鉢物１の生産方法では、大輪菊の苗Ｓ１１と小菊類の苗Ｓ１２とを同時期に摘心する一方、大輪菊の苗Ｓ１１が摘心される長さＬ２１と小菊類の苗Ｓ１２が摘心される長さＬ２２とを異ならせる。これにより、大輪菊の苗Ｓ１１の栽培と小菊類の苗Ｓ１２の栽培とを同時期に開始しても、開花しているときの草丈を同じ程度にすることができる。
【００２２】
（ｃ）また、直立性菊苗の鉢物１では、栽培開始から１５日目に挿し床１１で発根した大輪菊の苗Ｓ１１と挿し床１２で発根した小菊類の苗Ｓ１２と一塊の土１０を植える。これにより、挿し床１１、１２での挿し穂Ｅ１１、Ｅ１２の生育状態を見て、大輪菊の苗Ｓ１１の大きさと小菊類の苗Ｓ１２の大きさとのバランスを調整することができる。
【００２３】
（第二実施形態）
本発明の第二実施形態について図５を参照して説明する。第二実施形態による直立性菊苗の鉢物の生産方法は、大輪菊の苗を摘心する時期と小菊類を摘心する時期とが異なる点が第一実施形態と異なる。
【００２４】
第二実施形態による直立性菊苗の鉢物２の生産方法について、図５を参照して説明する。図５には、直立性菊苗の鉢物２の栽培のタイムチャートを示す。図５では、横軸に直立性菊苗の鉢物２の栽培を開始してからの日数を示す。
【００２５】
栽培開始の１日目に「挿し木工程」として挿し床１１に大輪菊の挿し穂Ｅ１１を挿し木する（図５中の矢印３１）とともに、挿し床１２に小菊類の挿し穂Ｅ１２を挿し木する（図５中の矢印３２）。
次に、栽培開始から１５日目に「定植工程」として一塊の土１０に挿し床１１で発根した大輪菊の苗Ｓ１１および挿し床１２で発根した小菊類の苗Ｓ１２を植える（図５中の矢印３３）。栽培開始からの日数としての１５日は、特許請求の範囲の請求項３に記載の「第一の所定の日数」に相当する。
【００２６】
次に、栽培開始から２５日目に「第一の摘心工程」として大輪菊の苗Ｓ１１のみを摘心する（図５中の矢印３４）。栽培開始からの日数としての２５日は、特許請求の範囲の請求項３に記載の「第二の所定の日数」に相当する。
次に、栽培開始から４０日目に「第二の摘心工程」として小菊類の苗Ｓ１２のみを摘心する（図５中の矢印３５）。このとき、摘心された後の小菊類の苗Ｓ１２の草丈Ｈ３２を、栽培開始から２５日目に大輪菊の苗Ｓ１１の摘心された後の草丈Ｈ３１と同じにする（図５中の矢印３４、３５）。栽培開始から４０日目では、大輪菊の苗Ｓ１１に側枝Ｓ１１１が出始めているため、大輪菊の苗Ｓ１１の草丈Ｈ３３は、小菊類の苗Ｓ１２の草丈Ｈ３２に比べ高くなっている。栽培開始からの日数としての４０日は、特許請求の範囲の請求項３に記載の「第三の所定の日数」に相当する。
【００２７】
次に、栽培開始から４５日目に直立性菊苗の鉢物２を出荷する（図５中の矢印３６）。このとき、大輪菊の苗Ｓ１１の草丈は、小菊類の苗Ｓ１２の草丈に比べ高くなっている。その後、出荷された直立性菊苗の鉢物２において大輪菊および小菊類が開花しているとき、大輪菊の苗Ｓ１１の草丈と小菊類の苗Ｓ１２の草丈とは、目視レベルでは同じ程度となる。
【００２８】
直立性菊苗の鉢物２は、第一実施形態の効果（ａ）、（ｃ）を奏する。
また、直立性菊苗の鉢物２の生産方法では、摘心された後の大輪菊の苗Ｓ１１の草丈Ｈ３１と摘心された後の小菊類の苗Ｓ１２の草丈Ｈ３２とを同じにする一方、大輪菊の苗Ｓ１１を摘心する時期と小菊類の苗Ｓ１２を摘心する時期とを異ならせる。これにより、大輪菊の苗Ｓ１１の栽培と小菊類の苗Ｓ１２の栽培とを同時期に開始しても、開花しているときの草丈を同じ程度にすることができる。
【００２９】
（第三実施形態）
本発明の第三実施形態について図６を参照して説明する。第三実施形態による直立性菊苗の鉢物の生産方法は、大輪菊の苗および小菊類の苗を一塊の土に直接挿し木する点が第一実施形態と異なる。
【００３０】
第三実施形態による直立性菊苗の鉢物３の生産方法について、図６を参照して説明する。図６には、直立性菊苗の鉢物３の栽培のタイムチャートを示す。図６では、横軸に直立性菊苗の鉢物３の栽培を開始してからの日数を示す。
【００３１】
栽培開始の１日目に「直挿し工程」として一塊の土１０に大輪菊の苗Ｓ１１および小菊類の苗Ｓ１２の挿し木を行う（図６中の矢印４１）。
次に、栽培開始から３０日目に「摘心工程」として大輪菊の苗Ｓ１１および小菊類の苗Ｓ１２を摘心する（図６中の矢印４２）。このとき、大輪菊の苗Ｓ１１が摘心される長さＬ４１を小菊類の苗Ｓ１２が摘心される長さＬ４２に比べ短くする（図６中の矢印４２における点線部分）。これにより、摘心された後の大輪菊の苗Ｓ１１の草丈Ｈ４１は、小菊類の苗Ｓ１２の草丈Ｈ４２に比べて高くなる。栽培開始からの日数としての３０日は、特許請求の範囲の請求項４に記載の「第一の所定の日数」に相当する
【００３２】
次に、栽培開始から４５日目に直立性菊苗の鉢物３を出荷する（図６中の矢印４３）。このとき、大輪菊の苗Ｓ１１の草丈は、小菊類の苗Ｓ１２の草丈に比べ高くなっている。その後、出荷された直立性菊苗の鉢物３において大輪菊および小菊類が開花しているとき、大輪菊の苗Ｓ１１の草丈と小菊類の苗Ｓ１２の草丈とは、目視レベルでは同じ程度となる。
【００３３】
直立性菊苗の鉢物３は、第一実施形態の効果（ａ）を奏する。
また、直立性菊苗の鉢物３の生産方法では、大輪菊の苗Ｓ１１と小菊類の苗Ｓ１２とを同時期に摘心する一方、大輪菊の苗Ｓ１１が摘心される長さＬ４１と小菊類の苗Ｓ１２が摘心される長さＬ４２とを異ならせる。これにより、大輪菊の苗Ｓ１１の栽培と小菊類の苗Ｓ１２の栽培とを同時期に開始しても、開花しているときの草丈を同じ程度にすることができる。
【００３４】
（第四実施形態）
本発明の第四実施形態について図７を参照して説明する。第四実施形態による直立性菊苗の鉢物の生産方法は、大輪菊の苗を摘心する時期と小菊類の苗を摘心する時期との関係が第三実施形態と異なる。
【００３５】
第四実施形態による直立性菊苗の鉢物４の生産方法について、図７を参照して説明する。図７には、直立性菊苗の鉢物４の栽培のタイムチャートを示す。図７では、横軸に直立性菊苗の鉢物４の栽培を開始してからの日数を示す。
【００３６】
栽培開始の１日目に「直挿し工程」として一塊の土１０に大輪菊の苗Ｓ１１および小菊類の苗Ｓ１２の挿し木を直接行う（図７中の矢印５１）。
次に、栽培開始から２５日目に「第一の摘心工程」として大輪菊の苗Ｓ１１のみを摘心する（図７中の矢印５２）。栽培開始からの日数としての２５日は、特許請求の範囲の請求項５に記載の「第一の所定の日数」に相当する。
次に、栽培開始から約４０日目に「第二の摘心工程」として小菊類の苗Ｓ１２のみを摘心する。このとき、摘心された後の小菊類の苗Ｓ１２の草丈Ｈ５２を、栽培開始から約２５日目に大輪菊の苗Ｓ１１が摘心された後の草丈Ｈ５１と同じにする（図７中の矢印５２、５３）。栽培開始から４０日目では大輪菊の苗Ｓ１１に側枝Ｓ１１１が出始めているため、大輪菊の苗Ｓ１１の草丈Ｈ５３は、小菊類の苗Ｓ１２の草丈Ｈ５２に比べて高くなっている。栽培開始からの日数としての４０日は、特許請求の範囲の請求項５に記載の「第二の所定の日数」に相当する。
【００３７】
次に、栽培開始から４５日目に直立性菊苗の鉢物４を出荷する（図７中の矢印５４）。このとき、大輪菊の苗Ｓ１１の草丈は、小菊類の苗Ｓ１２の草丈に比べ高くなっている。その後、出荷された直立性菊苗の鉢物４において大輪菊および小菊類が開花しているとき、大輪菊の苗Ｓ１１の草丈と小菊類の苗Ｓ１２の草丈とは、目視レベルでは同じ程度となる。
【００３８】
直立性菊苗の鉢物４は、第一実施形態の効果（ａ）を奏する。
また、直立性菊苗の鉢物４の生産方法では、摘心された後の大輪菊の苗Ｓ１１の草丈Ｈ５１と摘心された後の小菊類の苗Ｓ１２の草丈Ｈ５２とを同じにする一方、大輪菊の苗Ｓ１１を摘心する時期と小菊類の苗Ｓ１２を摘心する時期とを異ならせる。これにより、大輪菊の苗Ｓ１１の栽培と小菊類の苗Ｓ１２の栽培とを同時期に開始しても、開花しているときの草丈を同じ程度にすることができる。
【００３９】
（他の実施形態）
上述の実施形態では、直立性菊苗の鉢物は、一つの大輪菊の苗と二つの小菊類の苗とが植えられているとした。しかしながら、苗の数および苗の種類は、これに限定されない。一塊の土に植えられる苗の種類は、三種類以上あってもよい。
【００４０】
上述の実施形態では、大輪菊の苗と小菊類の苗とが植えられている一塊の土は、鉢に収容されているとした。鉢に収容されていなくてもよい。
【００４１】
第一、二実施形態では、栽培開始から１５日後に大輪菊の苗および小菊類の苗を定植するとした。また、第一実施形態では、栽培開始から３０日後に大輪菊の苗および小菊類の苗を摘心するとした。また、第二実施形態では、栽培開始から２５日後に大輪菊の苗を摘心し、栽培開始から４０日後に小菊類の苗を摘心するとした。しかしながら、これらの栽培開始からの日数は、これに限定されない。
【００４２】
第三実施形態では、栽培開始から３０日後に大輪菊の苗および小菊類の苗を摘心するとした。また、第四実施形態では、栽培開始から２５日後に大輪菊の苗を摘心し、栽培開始から４０日後に小菊類の苗を摘心するとした。しかしながら、これらの栽培開始からの日数は、これに限定されない。
【００４３】
このように、本発明は、上述した実施形態に限定されるものではなく、発明の趣旨を逸脱しない範囲で種々の形態で実施可能である。
【符号の説明】
【００４４】
１、２、３、４・・・直立性菊苗の鉢物
１０・・・一塊の土
Ｓ１１・・・大輪菊の苗（第一の直立性菊苗）
Ｓ１２・・・小菊類の苗（第二の直立性菊苗）
Ｈ１０・・・大輪菊の苗の草丈（第一の直立性菊苗の草丈）
Ｈ２０・・・小菊類の苗の草丈（第二の直立性菊苗の草丈）
【図１】
2017200453.tif 000003
【図２】
2017200453.tif 000004
【図３】
2017200453.tif 000005
【図４】
2017200453.tif 000006
【図５】
2017200453.tif 000007
【図６】
2017200453.tif 000008
【図７】
2017200453.tif 000009